(57)【要約】【課題】洗浄性能（洗浄範囲、洗浄パターン、洗浄力など）及び操作性（目視確認し易く、設定操作し易い）に優れた液体噴射装置を提供すること。【解決手段】２台の駆動モータＭ１、Ｍ２を備え、前記第１駆動モータＭ１の動力を回転筒４０を介して液体送出筒部６２に伝動し、かつ、前記第２駆動モータＭ２の動力を回転軸３０を介して噴出ノズル体７０に伝動するとともに、前記液体送出筒部６２及び前記噴出ノズル体７０の状態を中央上部に備える振り回動及び旋回角度表示機構８０にも伝達する液体噴射装置１を提供する。【選択図】図１
0003180082.tif 000002
【実用新案登録請求の範囲】
【請求項１】
洗浄液体を供給口から供給し装置の内部を経由して外部へ噴射する液体噴射装置であって、
一方の駆動源を包含する第１駆動機構（１０）と、
他方の駆動源を包含する第２駆動機構（２０）と、
前記第２駆動機構からの動力を受け回転する回転軸（３０）と、
前記回転軸の外周面に装備し前記第１駆動機構からの動力を受け回転する回転筒（４０）と、
下端部に傾斜取り付け面を有し、前記回転筒と一体回転する液体送出筒部（６２）を包含する液体送出管（６０）と、
前記液体送出筒部の傾斜取り付け面に当接する傾斜取り付け面を上端部に有し、前記回転軸と一体回転する円筒ノズル部（７２）を包含する噴射ノズル体（７０）と、
前記噴射ノズル体（７０）の振り回動角度を表示する振り回動表示部及び前記液体送出筒部（６２）の旋回角度を表示する旋回角度表示部を包含する振り回動及び旋回角度表示等機構（８０）と、
を備える液体噴射装置。
【請求項２】
前記振り回動及び旋回角度表示等機構（８０）に、前記液体送出筒（６２）の反転旋回角度又は旋回角度範囲を任意に設定することができる旋回角度操作機構を付加した請求項１記載の液体噴射装置。
【請求項３】
前記振り回動及び旋回角度表示等機構（８０）に前記噴射ノズル体（７０）の反転振り回動角度又は振り回動角度範囲を任意に設定することができる振り回動角度操作機構を付加した請求項１又は請求項２記載の液体噴射装置。
【請求項４】
前記旋回角度操作機構が、旋回角度表示及び操作部（８２１）の下部に設ける１個又は複数個のスイッチ（８２５）と旋回角度表示及び操作部（８２１）の上部に設ける１個又は複数個の操作子（８２６）との組み合わせである請求項２又は請求項３記載の液体噴射装置。
【請求項５】
前記振り回動角度操作機構が、振り回動表示及び操作部（８１１）の下部に設ける複数個のスイッチ（８１５）と振り回動表示及び操作部（８１１）の上部に設ける複数個の操作子（８１６）との組み合わせである請求項２から請求項４のいずれかに記載の液体噴射装置。
【考案の詳細な説明】
【技術分野】
【０００１】
本願考案は、オイルタンクの内部の洗浄などに用いられる液体噴射装置であって、オイルタンクなどを垂下する液体送出筒部の先端部をその軸周りに旋回（回転）させながら、前記液体送出筒部の先端部に傾斜させて取り付けた噴射ノズル体をその傾斜面周りに振り回動（回転）させる液体噴射装置に関するものである。
【背景技術】
【０００２】
従来より、オイルタンクの内部の洗浄に用いられる液体噴射装置であって、オイルタンクを垂下する液体送出筒部の先端部をその軸周りに旋回（回転）させながら、前記液体送出筒部の先端部に傾斜させて取り付けた噴射ノズル体をその傾斜面周りに振り回動（回転）させることにより、殆ど全方向に洗浄液体を噴射させることが可能な液体噴射装置が提供されている（特許文献１）。
【先行技術文献】
【特許文献】
【０００３】
【特許文献１】特開平６−２８５４４９号公報
【考案の概要】
【考案が解決しようとする課題】
【０００４】
上述の特許文献１のように、１つの駆動源で、液体送出筒部の先端回転数に対する噴射ノズル体の相対回転差で噴射ノズル体の振り回動（往復動）を行う場合、ギア比での調整では一回転ごとの振り角度を大きく又は小さくすることしかできない。
【０００５】
しかしながら、オイルタンクの一定の旋回角度範囲において噴射ノズル体を何度も振り回動（往復動）させて洗浄させたい場面も想定し得る。
【０００６】
そこで、本願考案は、オイルタンクを垂下する液体送出筒部の先端部をその軸周りに旋回（回転）させながら、前記液体送出筒部の先端部に傾斜させて取り付けた噴射ノズル体をその傾斜面周りに振り回動（回転）させることにより、殆ど全方向に洗浄液体を噴射させることが可能な液体噴射装置において、さらに、上記の要求を満たす液体噴射装置を提供することを課題とする。
【課題を解決するための手段】
【０００７】
上記の課題を解決するために、洗浄液体を供給口から供給し装置の内部を経由して外部へ噴射する液体噴射装置であって、一方の駆動源を包含する第１駆動機構と、他方の駆動源を包含する第２駆動機構と、前記第２駆動機構からの動力を受け回転する回転軸と、前記回転軸の外周面に装備し前記第１駆動機構からの動力を受け回転する回転筒と、下端部に傾斜取り付け面を有し、前記回転筒と一体回転する液体送出筒部を包含する液体送出管と、前記液体送出筒部の傾斜取り付け面に当接する傾斜取り付け面を上端部に有し、前記回転軸と一体回転する円筒ノズル部を包含する噴射ノズル体と、前記噴射ノズル体の振り回動角度を表示する振り回動表示部及び前記液体送出筒部の旋回角度を表示する旋回角度表示部を包含する振り回動及び旋回角度表示等機構と、を備える液体噴射装置を提供する。
【０００８】
また、上記の課題を解決するために、洗浄液体を供給口から供給し装置の内部を経由して外部へ噴射する液体噴射装置であって、一方の駆動源を包含する第１駆動機構と、他方の駆動源を包含する第２駆動機構と、前記第２駆動機構からの動力を受け回転する回転軸と、前記回転軸の外周面に装備し前記第１駆動機構からの動力を受け回転する回転筒と、下端部に傾斜取り付け面を有し、前記回転筒と一体回転する液体送出筒部を包含する液体送出管と、前記液体送出筒部の傾斜取り付け面に当接する傾斜取り付け面を上端部に有し、前記回転軸と一体回転する円筒ノズル部を包含する噴射ノズル体と、前記噴射ノズル体の振り回動角度を表示する振り回動表示部及び前記液体送出筒部の旋回角度を表示する旋回角度表示部を包含する振り回動及び旋回角度表示等機構と、を備え、さらに、前記振り回動及び旋回角度表示等機構に、前記液体送出筒部の反転旋回角度又は旋回角度範囲を任意に設定することができる旋回角度操作機構（例えば、旋回角度表示及び操作部の下部に設ける１個又は複数個のスイッチと旋回角度表示及び操作部の上部に設ける１個又は複数個の操作子との組み合わせ）を付加した液体噴射装置を提供する。
【０００９】
また、上記の課題を解決するために、洗浄液体を供給口から供給し装置の内部を経由して外部へ噴射する液体噴射装置であって、一方の駆動源を包含する第１駆動機構と、他方の駆動源を包含する第２駆動機構と、前記第２駆動機構からの動力を受け回転する回転軸と、前記回転軸の外周面に装備し前記第１駆動機構からの動力を受け回転する回転筒と、下端部に傾斜取り付け面を有し、前記回転筒と一体回転する液体送出筒部を包含する液体送出管と、前記液体送出筒部の傾斜取り付け面に当接する傾斜取り付け面を上端部に有し、前記回転軸と一体回転する円筒ノズル部を包含する噴射ノズル体と、前記噴射ノズル体の振り回動角度を表示する振り回動表示部及び前記液体送出筒部の旋回角度を表示する旋回角度表示部を包含する振り回動及び旋回角度表示等機構と、を備え、さらに、前記振り回動及び旋回角度表示等機構に、前記液体送出筒部の反転旋回角度又は旋回角度範囲を任意に設定することができる旋回角度操作機構（例えば、旋回角度表示及び操作部の下部に設ける１個又は複数個のスイッチと旋回角度表示及び操作部の上部に設ける１個又は複数個の操作子との組み合わせ）を付加し、さらに、前記振り回動及び旋回角度表示等機構に前記噴射ノズル体の反転振り回動角度又は振り回動角度範囲を任意に設定することができる振り回動角度操作機構（例えば、振り回動表示及び操作部の下部に設ける複数個のスイッチと振り回動表示及び操作部の上部に設ける１個又は複数個の操作子との組み合わせ）を付加した液体噴射装置を提供する。
【考案の効果】
【００１０】
本願考案にかかる液体噴射装置は、２つの駆動モータで、液体供給管の先端に備える液体送出筒部および噴射ノズル体の各々を回転させるため、オイルタンクの一定の旋回角度範囲において噴射ノズル体を任意に何度も振り回動（往復動）させて洗浄することができる（ギア比での調整では一回転ごとの振り角度を大きく又は小さくすることしかできなかった）。
【００１１】
また、本願考案にかかる液体噴射装置は、噴射ノズル体の振り回動角度および液体送出筒部の旋回角度を表示する機構が、装置中央上部の見易い位置に備えているため、オイルタンク内などで動作中の噴射ノズル体の振り回動角度および液体送出筒部の旋回角度が容易に目視確認することができる。
【００１２】
また、本願考案にかかる液体噴射装置は、噴射ノズル体の振り回動角度および液体送出筒部の旋回角度を操作する機構が、装置中央上部の操作し易い位置に備えているため、任意の振り回動範囲又は任意の旋回位置（旋回範囲）に操作子を挿入し、容易に設定することができる。
【図面の簡単な説明】
【００１３】
【図１】図１は、液体噴射装置の全体図である。
【図２】図２は、振り回動及び旋回角度表示等機構付近の要部拡大断面図である。
【図３】図３は、振り回動及び旋回角度表示等機構の拡大平面図である（旋回角度０度と３０度、振り回動角度８０度と１２０度を設定した状態）。
【考案を実施するための形態】
【００１４】
液体噴射装置の構成について、図１から図３に従い説明する。
【００１５】
液体噴射装置（１）は、駆動用モータを上部、かつ、上向き実装する縦姿勢において、一方の駆動用モータである第１駆動モータ（Ｍ１）及び前記第１駆動モータ（Ｍ１）の減速機である第１駆動モータ減速機（Ｇ１）で構成する第１駆動機構（１０）と、前記第１駆動機構（１０）の出力軸（１１）に軸着した第１出力ギア（１２）と、前記第１出力ギア（１２）と噛合した２段構成の第１中間伝動ギア（１３）と、前記第１中間伝動ギアの小径部（１３２）と噛合した第１中央ギア（１４）と、前記第１中間伝動ギア（１３）を軸支する第１中間軸（１５）と、他方の駆動用モータである第２駆動モータ（Ｍ２）及び前記第２駆動モータ（Ｍ２）の減速機である第２駆動モータ減速機（Ｇ２）で構成する第２駆動機構（２０）と、前記第２駆動機構（２０）の出力軸（２１）に軸着した第２出力ギア（２２）と、前記第２出力ギア（２２）と噛合した２段構成の第２中間伝動ギア（２３）と、前記第２中間伝動ギアの小径部（２３２）と噛合した第２中央ギア（２４）と、前記第２中間伝動ギア（２３）を軸支する第２中間軸（２５）と、前記第２中央ギア（２４）を介し回転する回転軸（３０）と、前記回転軸（３０）の最下部に備える出力ベベルギア（３１）と、前記第１中央ギア（１４）を介し回転する回転筒（４０）と、下端部に傾斜取り付け面（６２１）を有し、前記回転筒（４０）と一体回転する液体送出筒部（６２）を包含する液体供給管（６０）と、前記液体送出筒部（６２）の傾斜取り付け面（６２１）に当接した傾斜取り付け面（７２１）を上端に有し、前記回転軸（３０）と一体回転する円筒ノズル部（７２）を包含する噴射ノズル体（７０）と、前記第１駆動モータ（Ｍ１）と前記第２駆動モータ（Ｍ２）との間の中央側面部に配置された洗浄液体供給口（５０）と、前記洗浄液体供給口（５０）よりも上部の中央上部に配置され前記液体送出部（６２）の旋回角度と前記噴射ノズル体（７０）の振り回動角度を表示及び操作する振り回動及び旋回角度表示等機構（８０）と、で構成する。
【００１６】
２段構成の前記第１中間伝動ギア（１３）は、前記第１中間軸（１５）に軸着し前記第１中間軸（１５）と一体回転する上下２段のギアであり、上段に備える大径部（１３１）と下段に備える小径部（１３２）と、で構成する。
【００１７】
２段構成の前記第２中間伝動ギア（２３）は、前記第２中間軸（２５）に軸着し前記第２中間軸（２５）と一体回動する上下２段のギアであり、上段に備える小径部（２３２）と下段に備える大径部（２３１）と、で構成する。
【００１８】
前記回転軸（３０）は、伝動ケース内から前記液体供給管（６０）内を通り、前記噴射ノズル体（７０）の上端に至る長さ（液体送出筒部（６２）の下端に至る長さ）で垂下装備する。
【００１９】
前記回転筒（４０）は、前記回転軸（３０）の外周面に装備し、前記回転軸（３０）の軸心であるＸ軸と同一軸心である円筒体である。
【００２０】
前記回転筒（４０）の外周面下部には、円周方向の三箇所に半径方向に沿って放射状に延びる羽根板（４１）を設けている。当該羽根板（４１）は、前記回転筒（４０）の外周面と前記液体送出部（６２）の内周面とを接合している。
【００２１】
前記液体供給管（６０）は、前記噴射ノズル体側に備えＸ軸を軸心として回転する液体送出筒部（６２）と、反噴射ノズル体側に備える固定筒部（６１）と、で構成する。
【００２２】
前記液体送出筒部（６２）は、液体供給管（６０）の下端にその液体供給管（６０）に対して相対回転する状態で連結される。
【００２３】
前記噴射ノズル体（７０）は、最も外側に位置する円筒ノズル部（７２）と、前記円筒ノズル部（７２）内に装備され前記出力ベベルギア（３１）と噛合する入力ベベルギア（７１）と、前記円筒ノズル部（７２）内に装備される整流部（７３）と、円筒ノズル部（７２）の先端噴出口に臨む位置に配置される逆円錐台形の拡散ノズル部（７４）と、で構成する。
【００２４】
前記噴射ノズル体（７０）は、液体送出筒部（６２）の下端に相対回転する状態で連結される。
【００２５】
前記円筒ノズル部（７２）の上端には、上向き傾斜取り付け面（７２１）に開口が形成してあり、前記液体送出部（６２）からの洗浄液体を受け入れるように構成している。
【００２６】
前記振り回動及び旋回角度表示等機構（８０）は、駆動用モータを上部、かつ、上向き実装する縦姿勢において、上部から目視し易い、装置の中央上部に配置する。
【００２７】
前記振り回動及び旋回角度表示等機構（８０）は、前記噴射ノズル体（７０）のＹ軸周りの振り回動角度を表示する振り回動角度表示及び操作機構（８１）と、前記液体送出筒部（６２）のＸ軸周りの旋回角度を表示する旋回角度表示及び操作機構（８２）と、で構成する（図１）。
【００２８】
前記振り回動角度表示及び操作機構（８１）は、前記噴射ノズル体（７０）の振り回動角度を目視確認及び反転させる振り回動角度位置又は振り回動角度範囲を設定可能にする有孔の振り回動角度表示及び操作部（８１１）と、前記噴射ノズル体（７０）及び前記回転軸（３０）の回転駆動を前記振り回動角度表示及び操作部（８１１）に伝達する太陽ギア（８１２）、前記太陽ギア（８１２）と噛合する一対の遊星ギア（８１３）及び前記遊星ギア（８１３）と噛合する内歯受け歯車（８１４）などで構成する伝達機構と、前記噴射ノズル体振り回動角度表示パネル（８１１）の下部に備える２個のスイッチ（８１５）と、前記噴射ノズル体振り回動角度表示パネル（８１１）の上部に備える２個の操作子（８１６）と、で構成する（図２）。
【００２９】
前記振り回動角度表示及び操作部（８１１）は、０度から１３５度の間で予め対応する角度に孔を設けており（例えば、０度、３０度、４５度、６０度、８０度、１００度、１２０度、１３５度）、当該孔に前記操作子（８１６）を挿入することにより、当該振り回動角度表示及び操作部（８１１）の下部に設けた２個のスイッチ（８１５）をオン、オフさせる（図３）。
【００３０】
前記旋回角度表示及び操作機構（８２）は、前記液体送出筒部（６２）の旋回角度を表示する旋回角度を目視視認及び反転させる旋回角度位置又は旋回角度範囲を設定可能にする有孔の旋回角度表示及び操作部（８２１）と、前記液体送出筒部（６２）及び前記回転筒（４０）の回転駆動を前記旋回角度表示及び操作部（８２１）に伝達する第１中間軸ギア（８２２）、前記第１中間軸ギア（８２２）と噛合する旋回角度表示伝動ギア（８２３）及び前記旋回角度表示伝動ギア（８２３）のボス部（８２４）で構成する伝達機構と、前記旋回角度表示及び操作部（８２１）の下部に備える２個のスイッチ（８２５）と、前記旋回角度表示及び操作部（８２１）の上部に備える２個の操作子（８２６）と、で構成する（図２）。
【００３１】
前記旋回角度表示及び操作部（８２１）は、０度から１８０度の間で予め対応する角度に孔を設けており（例えば、０度、３０度、６０度、９０度、１２０度、１５０度、１８０度）、当該孔に前記操作子（８２６）を挿入することにより、当該旋回角度表示及び操作部（８２１）の下部に設けた２個のスイッチ（８２５）をオン、オフさせる（図３）。
【００３２】
前記旋回角度表示伝動ギア（８２３）のボス部（８２４）は、前記回転軸（３０１）に外篏した状態で上方に延出しており、前記旋回角度表示伝動ギア（８２３）の回転駆動を前記旋回角度表示及び操作部（８２１）へ伝動する。
【００３３】
前記第１駆動モータ減速機（Ｇ１）は、３段階に減速され、前記第２駆動モータ減速機（Ｇ２）は１段階に減速される。
【００３４】
前記第２駆動モータ減速機（Ｇ２）は、前記第１駆動モータ減速機（Ｇ１）の１００分の１程度の減速率であり、例えば、前記第２駆動モータ減速機（Ｇ２）が９０００分の１に減速されるとすると、前記減速ギアボックス（Ｇ１）は、９０分の１に減速される。
【００３５】
前記第１駆動モータ（Ｍ１）と、前記第２駆動モータ（Ｍ２）とは、回転速度が同じモータを利用している。
【００３６】
次に、液体噴射装置の液体噴射動作について、図１に従い説明する。
【００３７】
洗浄液体供給口（５０）から供給されたオイルなどの洗浄液体は、液体供給管（６０）を経由し噴射ノズル体（７０）に到達し、前記噴射ノズル体（７０）を構成する拡散ノズル（７４）から、洗浄を行うオイルタンクの内側面、底面又は蓋の裏面（上面）へと噴射される。
【００３８】
前記液体供給管（６０）を構成する液体送出筒部（６２）がＸ軸を軸心として回転（旋回）し、かつ、前記噴射ノズル体（７０）がＹ軸を軸心として回転（振り回動）するので、上述したように洗浄液体は、洗浄を行うオイルタンクの全方向（内側面、底面又は蓋の裏面）へと噴射される。
【００３９】
また、洗浄液体は、円筒ノズル部（７２）と拡散ノズル部（７４）とで囲まれた円筒状の狭い空間より噴射され、紡錘型の膜面を形成する。紡錘型を呈する洗浄液体の内部には真空空間が形成されるように、膜面が洗浄液体層を形成している。洗浄液体層の内部には真空空間が形成してあるので、洗浄液体層は、拡散ノズル部（７４）で広がった後、前記真空空間の吸引作用で噴射先端部で収束し、大きな洗浄力を発揮する。
【００４０】
前記回転筒（４０）に対する前記回転軸（３０）の相対回転速度を数倍から数十倍に調整して前記液体送出筒部（６２）の所定の旋回角度範囲で前記噴射ノズル体（７０）の振り回動範囲を適宜に設定することができるので、タンク内のスラッジの堆積状況等に応じて適宜に噴射態様を設定することができる。
【００４１】
次に、液体噴射装置を構成する液体送出筒部への動力伝達について、図１及び図２に従い説明する。
【００４２】
第１駆動機構（１０）の出力軸（１１）に軸着された第１出力ギア（１２）が回転すると、前記第１出力ギア（１２）と噛合した第１中間伝動ギア（１３）が回転し、前記第１中間伝動ギア（１３）が回転することにより、前記第１中間伝動ギア（１３）を軸支する第１中央軸（１５）が回転する。
【００４３】
前記第１中央軸（１５）が回転すると、前記第１中央軸に軸着した第１中間伝動ギアの小径部（１３２）が回転し、前記第１中間伝動ギアの小径部（１３２）と噛合した第１中央ギア（１４）が回転し、前記第１中央ギア（１４）を介して回転筒（４０）がＸ軸周りで回転する。
【００４４】
前記回転筒（４０）がＸ軸周りで回転することにより、前記回転筒（４０）の外周面下部で羽根板（４１）により接合された前記液体送出筒部（６２）もＸ軸周りで一体回転（旋回）する。
【００４５】
次に、液体噴射装置を構成する噴射ノズル体への動力伝達について、図１及び図２に従い説明する。
【００４６】
第２駆動機構（２０）の出力軸（２１）に軸着された第２出力ギア（２２）が回転すると、前記第２出力ギア（２２）と噛合した第２中間伝動ギア（２３）が回転し、前記第２中間伝動ギア（２３）が回転することにより、前記第２中間伝動ギア（２３）を軸支する第２中央軸（２５）が回転する。
【００４７】
前記第２中央軸（２５）が回転すると、前記第２中央軸に軸着した第２中間伝動ギアの小径部（２３２）が回転し、前記第２中間伝動ギアの小径部（２３２）と噛合した第２中央ギア（２４）が回転し、前記第２中央ギア（２４）を介して回転軸（３０）がＸ軸周りで回転する。
【００４８】
前記回転軸（３０）がＸ軸周りで回転することにより、前記回転軸（３０）の先端に備える出力ベベルギア（３１）が回転し、前記出力ベベルギア（３１）と噛合した入力ベベルギア（７１）が回転し、前記入力ベベルギア（７１）などにより構成する噴射ノズル体（７０）が、Ｙ軸周りで回転（振り回動）する（Ｘ軸周りで回転する前記液体送出筒部（６２）に対して、下向き傾斜取り付け面（６２１）に沿ってその傾斜面周り（Ｙ軸周り）で回転（振り回動）する）。
【００４９】
次に、液体噴射装置の振り回動及び旋回角度表示等機構の動作について、図１から図３に従い説明する。
【００５０】
噴射ノズル体（７０）が、上述の様にＹ軸周りで回転（振り回動）しているとき、第２駆動機構（２０）からの動力は前記噴射ノズル体（７０）に伝動するとともに、振り回動角度表示及び操作機構（８１）を構成する太陽ギア（８１２）にも伝動される。
【００５１】
前記太陽ギア（８１２）に伝動された動力は、前記太陽ギア（８１２）と噛合した一対の遊星ギア（８１３）及び前記一対の遊星ギア（８１３）と噛合する内歯受け歯車（８１４）を介して振り回動角度表示及び操作部（８１１）に伝動され、Ｙ軸周りで回転（振り回動）する前記噴射ノズル体（７０）の振り回動角度が表示される。
【００５２】
また、振り回動角度表示及び操作部（８１１）に設けられた孔（例えば、８０度と１２０度）に、操作子（８１６）を挿入することにより、当該操作子（８１６）が前記振り回動角度表示及び操作部（８１１）の下端に装備するスイッチ（８１５）を押しこみ操作する（オンする）。前記スイッチ（８１５）がオンされるごとに、制御装置を介して第２駆動モータ（Ｍ２）を反映させて、前記噴射ノズル体（７０）を正逆転作動させる。
【００５３】
なお、前記スイッチ（８１５）がさらにオンされると、制御装置を介して前記第２駆動モータ（Ｍ２）を反映させて、前記噴射ノズル体（７０）を正逆転作動させる結果、前記噴射ノズル体（７０）は、８０度と１２０度の範囲を振り回動（往復動）する。
ける。
【００５４】
また、液体送出筒部（６２）が、上述の様にＸ軸周りで回転（旋回）しているとき、第１駆動機構（１０）からの動力は前記液体送出筒部（６２）に伝動するとともに、第１中間ギア（１５）と軸着する第１中間ギア（８２２）にも伝動される。
【００５５】
前記第１中間ギア（８２２）に伝動された動力は、旋回角度表示伝動ギア（８２３）及び前記旋回角度表示伝動ギアのボス部（８２４）を介して旋回角度表示及び操作部（８２１）に伝動され、Ｘ軸周りで回転（旋回）する前記液体送出筒部（６２）の旋回角度が表示される。
【００５６】
また、旋回角度表示及び操作部（８２１）に設けられた孔（例えば、０度と３０度）に、操作子（８２６）を挿入することにより、当該操作子（８２６）が前記旋回角度表示及び操作部（８２１）の下端に装備するスイッチ（８２５）を押しこみ操作する（オンする）。前記スイッチ（８２５）がオンされるごとに、制御装置を介して第１駆動モータ（Ｍ１）を反映させて、前記液体送出筒部（６２）を正逆転作動させる。
【００５７】
なお、前記スイッチ（８２５）がさらにオンされると、制御装置を介して前記第１駆動モータ（Ｍ１）を反映させて、前記液体送出筒部（６２）を正逆転作動させる結果、前記液体送出筒部（６２）は、０度と３０度の範囲を旋回（回転）する。
【産業上の利用可能性】
【００５８】
本願考案の液体噴射装置は、洗浄性能及び操作性を飛躍的に向上させる液体噴射装置であるので、産業上の利用性を有する。
【符号の説明】
【００５９】
１      液体噴射装置
１０      第１駆動機構
１１      第１駆動モータ減速機の出力軸
１２      第１出力ギア
１３      第１中間伝動ギア
１３１      第１中間伝動ギア（大径部）
１３２      第１中間伝動ギア（小径部）
１４      第１中央ギア
１５      第１中間軸
２０      第２駆動機構
２１      第２駆動モータ減速機の出力軸
２２      第２出力ギア
２３      第２中間伝動ギア
２３１      第２中間伝動ギア（大径部）
２３２      第２中間伝動ギア（小径部）
２４      第２中央ギア
２５      第２中間軸
３０      回転軸
３１      出力ベベルギア
４０      回転筒
４１      羽根板
５０      洗浄液体供給口
６０      液体供給管
６１      固定筒部
６２      液体送出筒部
６２１      下向き傾斜取り付け面
７０      噴射ノズル体
７１      入力ベベルギア
７２      円筒ノズル部
７２１      上向き傾斜取り付け面
７３      整流部
７４      拡散ノズル部
８０      振り回動及び旋回角度表示等機構
８１      振り回動角度表示及び操作機構
８１１      振り回動角度表示及び操作部
８１２      太陽ギア
８１３      遊星ギア
８１４      内歯受け歯車
８１５      スイッチ
８１６      操作子
８２      旋回角度表示及び操作機構
８２１      旋回角度表示及び操作部
８２２      第１中間軸ギア
８２３      旋回角度表示伝動ギア
８２４      旋回角度表示伝動ギアのボス部
８２５      スイッチ
８２６      操作子
Ｍ１      第１駆動モータ
Ｍ２      第２駆動モータ
Ｇ１      第１駆動モータ減速機
Ｇ２      第２駆動モータ減速機
【図１】
0003180082.tif 000003
【図２】
0003180082.tif 000004
【図３】
0003180082.tif 000005